(57)【要約】【課題】欄干に含まれる複数枚のガラスパネルの所定位置への組み込み作業を比較的簡単に、短時間で行なうことができる。【解決手段】無端状に連結されて上下部乗降口間を走行する図示しないステップの両側方に立設され、複数枚のガラスパネル２ａ，２ｂ，２ｃ，２ｄ，２ｅ，・・・を含む欄干を有する乗客コンベアの欄干据付け方法において、ガラスパネル２を下部乗降口１ａから順次、上部乗降口１ｂに向けて立設し、所定位置に組み込む際に、隣接するガラスパネルの側面間に形成される間隙を一定寸法に保持する脱着可能なスペーサ３を、前記間隙に介挿させながら組み込むようにした。スペーサ３は、間隙介挿部３ａと、この間隙介挿部３ａの延設方向に対して直交する方向に延設される固定部３ｂとを有する横断面Ｔ字状に形成してある。【選択図】図２
2005119801.tif 000002
【特許請求の範囲】
【請求項１】
無端状に連結されて上部乗降口と下部乗降口との間を走行するステップの両側方に立設され、複数枚のガラスパネルを含む欄干を有する乗客コンベアの欄干据付け方法において、
前記ガラスパネルを前記下部乗降口から順次、前記上部乗降口に向けて立設し、所定位置に組み込む際に、隣接するガラスパネルの側面間に形成される間隙を一定寸法に保持する脱着可能なスペーサを、前記間隙に介挿させながら行なうことを特徴とする乗客コンベアの欄干据付け方法。
【請求項２】
無端状に連結されて上部乗降口と下部乗降口との間を走行するステップの両側方に立設され、複数枚のガラスパネルを含む欄干を有する乗客コンベアの欄干据付け装置において、
前記ガラスパネルを前記下部乗降口から順次、前記上部乗降口に向けて立設し、所定位置に組み込む際に活用され、隣接するガラスパネルの側面間に形成される間隙に介挿され、この間隙を一定寸法に保持する着脱可能なスペーサを設けたことを特徴とする乗客コンベアの欄干据付け装置。
【請求項３】
上記請求項２記載の発明において、
前記スペーサは、前記隣接するガラスパネル間に介挿される間隙介挿部と、この間隙介挿部の延設方向に対して直交する方向に延設される固定部とを有する横断面Ｔ字状のものから成ることを特徴とする乗客コンベアの欄干据付け装置。
【発明の詳細な説明】
【技術分野】
【０００１】
本発明は、複数枚のガラスパネルを一定寸法の間隙を介して隣接させて成る欄干を有する乗客コンベアの欄干据付け方法、及び欄干据付け装置に関する。
【背景技術】
【０００２】
従来、この種の複数枚のガラスパネルを隣接させて成る欄干の据付け方法として、隣接するガラスパネル間の干渉を防止する所定の間隙を両ガラスパネル間に確保するために、フレーム上に組み込まれた両ガラスパネルの対向する側面間に形成される間隙の寸法を測定し、その後に両ガラスパネルの上端縁部に接続フレームを設けるようにして、複数枚のガラスパネルを順次、所定位置に組み込み、欄干を据付ける方法が提案されている（例えば、特許文献１参照。）。
【特許文献１】実開平０２−１０３８０号公報（５頁１行〜６頁１７行、第２図）
【発明の開示】
【発明が解決しようとする課題】
【０００３】
しかし、上述した従来技術によれば、各ガラスパネルを立設する度に間隙寸法を測定しなければならないことから、また、１つの間隙寸法の測定終了毎にガラスパネルの上端縁部に接続フレームを取り付ける作業が必要になることから、このガラスパネルの所定位置への組み込み作業が煩雑になり、このガラパネルを含む欄干の据付け作業時間が増加して、欄干据付け作業の能率向上を見込めない問題がある。
【０００４】
本発明は、上述した従来技術における実状からなされたもので、その目的は、欄干に含まれるガラスパネルの所定位置への組み込み作業を比較的簡単に、短時間で行なうことができる乗客コンベアの欄干据付け方法、及び欄干据付け装置を提供することにある。
【課題を解決するための手段】
【０００５】
上記目的を達成するために、本発明の乗客コンベアの欄干据付け方法は、無端状に連結されて上部乗降口と下部乗降口との間を走行するステップの両側方に立設され、複数枚のガラスパネルを含む欄干を有する乗客コンベアの欄干据付け方法において、前記ガラスパネルを前記下部乗降口から順次、前記上部乗降口に向けて立設し、所定位置に組み込む際に、隣接するガラスパネルの側面間に形成される間隙を一定寸法に保持する脱着可能なスペーサを、前記間隙に介挿させながら行なうことを特徴としている。
【０００６】
また本発明の乗客コンベアの欄干据付け装置は、無端状に連結されて上部乗降口と下部乗降口との間を走行するステップの両側方に立設され、複数枚のガラスパネルを含む欄干を有する乗客コンベアの欄干据付け装置において、前記ガラスパネルを前記下部乗降口から順次、前記上部乗降口に向けて立設し、所定位置に組み込む際に活用され、隣接するガラスパネルの側面間に形成される間隙に介挿され、この間隙を一定寸法に保持する着脱可能なスペーサを設けたことを特徴としている。
【０００７】
上述のように構成した本発明の乗客コンベアの欄干据付け方法、及び欄干据付け装置は、ガラスパネルを下部乗降口から順次、上部乗降口に向けて立設し、組み込む際に、隣接するガラスパネルの互いに対向する側面間の間隙を一定寸法に保持する着脱可能なスペーサを前記間隙に介挿させながら組み込むようにしたため、間隙寸法の測定が不要になると共に、接続フレームによる両ガラスパネルの固定は、両ガラスパネルの立設毎におこなう必要がなく、全部のガラスパネルの立設、組み込み後に行なえばよい。したがって、ガラスパネルの所定位置への組み込み作業が比較的簡単であり、短時間で済ませることができる。
【０００８】
また本発明の乗客コンベアの欄干据付け装置は、上記欄干据付け装置において、前記スペーサは、前記隣接するガラスパネル間に介挿される間隙介挿部と、この間隙介挿部の延設方向に対して直交する方向に延設される固定部とを有する横断面Ｔ字状のものから成ることを特徴としている。
【発明の効果】
【０００９】
本発明の乗客コンベアの欄干据付け方法、及び欄干据付け装置は、複数枚のガラスパネルの所定位置への組み込み作業を、スペーサを介して比較的簡単に、短時間のうちに行なうことができ、これにより従来に比べてこのガラスパネルを含む欄干の据付け作業の能率を向上させることができる。
【発明を実施するための最良の形態】
【００１０】
以下，本発明に係る乗客コンベアの欄干据付け方法、及び欄干据付け装置を実施するための最良の形態を図に基づいて説明する。
【００１１】
図１は本発明の乗客コンベアの欄干据付け方法の一実施形態を示す側面図、図２は図１に示す欄干据付け方法に用いられる欄干据付け装置の取り付け詳細斜視図、図３は図２に示した欄干据付け装置の詳細斜視図である。
【００１２】
本実施形態の対象とする欄干は、複数枚のガラスパネルの組み込みによって形成される欄干であり、無端状に連結されて下部乗降口１ａと上部乗降口１ｂとの間を走行する図示しないステップの側方に立設されるものである。
【００１３】
このような欄干をフレーム１上に据付けるために、本実施形態の欄干据付け方法は、例えばエスカレータの本体枠を形成するフレーム１の下部乗降口１ａから、ガラスパネル２ａをその前後方向を誤らないように確認して組み込む。この組み込んだガラスパネル２ａの側面、すなわち次に組み込まれるガラスパネル２ｂの側面と対向する側面の上部、および下部にスペーサ３を当て、このスペーサ３を粘着テープ４でガラスパネル２ａに固定することが行なわれる。
【００１４】
この場合、スペーサ３は間隙介挿部３ａと、この間隙介挿方向に対して直交する方向に延設される固定部３ｂとを有する横断面Ｔ字状に形成されており、上述したガラスパネル２ａの側面の上部、及び下部のそれぞれに、スペーサ３の間隙介挿部３ａの一方の側面３ａ１を当てた状態で、スペーサ３の固定部３ｂの固定面３ｂ１とガラスパネル２ａとが粘着テープ４で固定される。
【００１５】
次に、上述のようにしてガラスパネル２ａに取り付けたスペーサ３の間隙介挿部３ａの他方の側面３ａ１に、ガラスパネル２ｂの側面を押し付けるようにして、このガラスパネル２ｂを立設し、組み込む。これにより、ガラスパネル２ａ，２ｂの対向する側面間の間隙は、スペーサ３の間隙介挿部３ａの厚さ寸法に相応する例えば３ｍｍ程度の一定寸法に保たれる。
【００１６】
その後、同様にして、図１に示すガラスパネル２ｃ，２ｄ，２ｃ，２ｄ，２ｅが、順次組み込まれ、最後に上部乗降口１ｂ近傍に位置する所定のガラスパネルが組み込まれる。そして、全てのガラスパネル２が立設され、組み込まれた後、上述の背景技術で述べたのと同様の図示しない接続フレームによって、各ガラスパネルの上端縁部を接続する作業が行なわれる。この上端縁部の接続作業により、各ガラスパネルは一定寸法の間隙を有した状態でフレーム１上に固定される。ここで、粘着テープ４を剥がし、スペーサ３を取り外す作業が行なわれる。
【００１７】
このスペーサ３の取り外しに際しては、スペーサ３が横断面Ｔ字状を形成しているので、各ガラスパネルの表面に突出している固定部３ｂを把持して引き出すことが行なわれる。これにより、容易にスペーサ３を各ガラスパネル間から抜き取ることができる。
【００１８】
以上のように、本実施形態の欄干据付け方法は、ガラスパネルを下部乗降口１ａから順次上部乗降口１ｂに向けて立設し、所定位置に組み込む際に、隣接するガラスパネルの側面間に形成される間隙を一定寸法に保持する脱着可能なスペーサ３を、前記間隙に介挿させながら組み込むようにしたので、ガラスパネルの対向する側面間に形成される間隙の寸法測定が不要になると共に、接続フレームによるガラスパネルの固定を、１つのガラスパネルの所定位置への組み込み毎におこなう必要がなく、全部のガラスパネルを所定位置に組み込んだ後に、接続フレームによってガラスパネルを固定すればよい。したがって、ガラスパネルの組み込み作業が比較的簡単であり、短時間で済ませることができ、このガラスパネル２を含む欄干の据付け作業の能率向上を実現させることができる。
【００１９】
なお、上述した実施形態では、乗客コンベアの一例としてエスカレータを挙げたが、動く歩道等の同様の複数枚のガラスパネルを有する乗客コンベアに適用してもよい。その場合にも上述した実施形態におけるのと同様の作用効果を得ることができる。
【図面の簡単な説明】
【００２０】
【図１】本発明の乗客コンベアの欄干据付け方法の一実施形態を示す側面図である。
【図２】図１に示す欄干据付け方法に用いられる欄干据付け装置の取り付け詳細斜視図である。
【図３】図２に示した欄干据付け装置の詳細斜視図である。
【符号の説明】
【００２１】
１  フレーム
１ａ  下部乗降口
１ｂ  上部乗降口
２  ガラスパネル（欄干）
２ａ〜２ｅ  ガラスパネル
３  スペーサ
３ａ  間隙介挿部
３ａ１  側面
３ｂ  固定部
３ｂ１  固定面
４  粘着テープ
【図１】
2005119801.tif 000003
【図２】
2005119801.tif 000004
【図３】
2005119801.tif 000005